(57)【要約】【課題】経時変化や温度変化更には洗濯中の洗濯物の擦れ等があっても、ストレーナの凹部に対するフックレバーの凸部の係合をより確実に保持できて、溢水ホースの調節後の伸縮状態の保持、ひいては溢水口の所望の高さ位置の保持、すなわち溢水水位の調節がより確実にできるようにする。【解決手段】洗濯槽の溢水水位を調節して保持するのに、フックレバー３６の凸部３６ａをストレーナ１４の凹部２４に係合させてそれをなすものであり、その凹部２４及び凸部３６ａの係合時当接する面が、矩形の対向する両面となる関係を成すようにしたことにより、溢水ホース２５が伸長されたときの収縮しようとする復元力、又は収縮されたときの伸長しようとする復元力で凹部２４から凸部３６ａが滑り外れるということのないようにできる。【選択図】図１
2016028658.tif 000002
【特許請求の範囲】
【請求項１】
洗濯槽と、
この洗濯槽に設けられた溢水室と、
この溢水室の内部に配置され、上下に伸縮可能で、その上下の伸縮により高さ位置が変更される溢水口を有する溢水ホースと、
この溢水ホースを覆って前記溢水室の前記洗濯槽内に面する開口部を覆い、上下に延びるスリットを有すると共に、そのスリットに沿って凹部を上下多段に有するストレーナと、
このストレーナの前記スリットに沿って上下に移動可能に設けられた溢水水位調節レバーと、
この溢水水位調節レバーと一体に移動するように設けられて前記溢水室の内部に配置され、前記溢水ホースを保持したホースホルダと、
前記溢水水位調節レバーに変位可能に設けられて、その変位により前記ストレーナの凹部に選択係合及び係合離脱をする凸部を有するフックレバーと、
前記ストレーナのスリットから前記溢水室外に位置して前記フックレバーの選択係合及び係合離脱の操作に供する操作部とを具備し、
前記ストレーナの凹部及び前記フックレバーの凸部の係合時当接する面が、矩形の対向する両面となる関係を成すようにしたことを特徴とする洗濯機。
【請求項２】
前記ストレーナに前記スリットに沿って溝部を形成し、この溝部の両側壁部により前記溢水水位調節レバーの上下移動をガイドするようにしたことを特徴とする請求項１記載の洗濯機。
【請求項３】
前記フックレバーが弾性部を有し、この弾性部の弾性により、前記ストレーナの凹部に対する前記フックレバーの凸部の係合状態を保持するようにしたことを特徴とする請求項１又は２記載の洗濯機。
【請求項４】
前記ストレーナに前記スリットに沿って溝部を形成し、この溝部に、前記溢水水位調節レバーの前記ストレーナから露出する部分並びに前記操作部を収めたことを特徴とする請求項１から３のいずれか一項記載の洗濯機。
【請求項５】
前記操作部を前記溢水ホースの溢水口より上方に位置させたことを特徴とする請求項１から４のいずれか一項記載の洗濯機。
【発明の詳細な説明】
【技術分野】
【０００１】
本発明の実施形態は洗濯機に関する。
【背景技術】
【０００２】
従来より、洗濯機においては、洗濯時、特にはすすぎ時の溢水水位を調節するために、洗濯槽に溢水室が設けられ、この溢水室の内部に、上下に伸縮可能な溢水ホースが配置され、この溢水ホースの上下の伸縮によって高さ位置が変更される溢水口を、溢水ホースが有している。又、溢水室には、溢水ホースを覆うストレーナが装着されており、このストレーナが上下に延びるスリットを有すると共に、そのスリットに沿って上下多段に凹部を有している。
【０００３】
そして、ストレーナには、溢水水位調節レバーが上記スリットに沿って上下に移動可能に設けられており、この溢水水位調節レバーと一体にホースホルダが設けられ、このホースホルダにより前記溢水ホースが保持されている。
更に、溢水水位調節レバーにはフックレバーが変位可能に設けられ、このフックレバーがその変位により上記ストレーナの凹部に選択係合及び係合離脱をする凸部を有しており、加えて、前記ストレーナのスリットから前記溢水室外に位置して上記フックレバーの選択係合及び係合離脱の操作に供する操作部が設けられている。
【０００４】
この構成で、常時は、フックレバーの凸部がストレーナの凹部の一つに係合し、それによって、溢水水位調節レバーが或る高さ位置に保持され、それに伴い、この溢水水位調節レバーにホースホルダで保持された溢水ホースも或る伸縮状態に保持されて、該溢水ホースの溢水口もまた或る高さ位置に保持されている。
【０００５】
この状態から、フックレバーを操作部の操作によりストレーナから離れる方向に変位させることによって、該フックレバーの凸部をストレーナの上記凹部の一つから離脱させ、その上で、溢水水位調節レバーをストレーナのスリットに沿って上下に移動させ、所望の高さ位置に至ったところで、フックレバーを操作部の操作により上述とは反対のストレーナに接する方向に変位させて、該フックレバーの凸部をストレーナの凹部の他の一つに係合させる。すると、それに伴い、溢水水位調節レバーにホースホルダで保持された溢水ホースも上記伸縮状態から伸長又は収縮されて、溢水口が異なる高さ位置に保持される。
【０００６】
このようにして溢水水位が調節されるが、ストレーナの凹部とフックレバーの凸部は、ともに三角形状を成している（例えば特許文献１参照）。
【先行技術文献】
【特許文献】
【０００７】
【特許文献１】実公平２−２６４６７号公報
【発明の概要】
【発明が解決しようとする課題】
【０００８】
上述のように、溢水水位の調節に供するストレーナの凹部とフックレバーの凸部がともに三角形状を成している従来のものにおいては、溢水ホースが伸長されたときには収縮しようとする復元力で、又、収縮されたときには伸長しようとする復元力で、ストレーナの凹部からこれに係合したフックレバーの凸部が三角形状の斜辺部により滑り外れて、それらの係合が解除されることにより、溢水ホースを調節後の伸縮状態に保持することができなくなる、ひいては溢水口を所望の高さ位置に保持することができずに、溢水水位の調節が確実にできないという問題点を有していた。
【０００９】
特にこのような問題点は、経時変化や温度変化によりストレーナの凹部に対するフックレバーの凸部の係合摩擦力が低下したときに起きやすく、そのほか、洗濯中の水溢水水位調節レバーに対する洗濯物の擦れ等によっても起きやすいものであった。
【００１０】
そこで、経時変化や温度変化更には洗濯中の洗濯物の擦れ等があっても、ストレーナの凹部に対するフックレバーの凸部の係合をより確実に保持できて、溢水ホースの調節後の伸縮状態の保持、ひいては溢水口の所望の高さ位置の保持、すなわち溢水水位の調節がより確実にできる洗濯機を提供する。
【課題を解決するための手段】
【００１１】
本実施形態の洗濯機は、洗濯槽と、この洗濯槽に設けられた溢水室と、この溢水室の内部に配置され、上下に伸縮可能で、その上下の伸縮により高さ位置が変更される溢水口を有する溢水ホースと、この溢水ホースを覆って前記溢水室の前記洗濯槽内に面する開口部を覆い、上下に延びるスリットを有すると共に、そのスリットに沿って凹部を上下多段に有するストレーナと、このストレーナの前記スリットに沿って上下に移動可能に設けられた溢水水位調節レバーと、この溢水水位調節レバーと一体に移動するように設けられて前記溢水室の内部に配置され、前記溢水ホースを保持したホースホルダと、前記溢水水位調節レバーに変位可能に設けられて、その変位により前記ストレーナの凹部に選択係合及び係合離脱をする凸部を有するフックレバーと、前記ストレーナのスリットから前記溢水室外に位置して前記フックレバーの選択係合及び係合離脱の操作に供する操作部とを具備し、前記ストレーナの凹部及び前記フックレバーの凸部の係合時当接する面が、矩形の対向する両面となる関係を成すようにしたことを特徴とする。
【図面の簡単な説明】
【００１２】
【図１】一実施形態を示す主要部分のフックレバー未操作状態の縦断側面図
【図２】主要部分のフックレバー操作状態の縦断側面図
【図３】洗濯機全体の斜視図
【図４】主要部分の表側の斜視図
【図５】主要部分の裏側の斜視図
【図６】主要部分の一部の裏側の斜視図
【図７】溢水水位調節レバー及びホースホルダの側面図
【図８】溢水水位調節レバー及びホースホルダの縦断側面図
【図９】溢水水位調節レバー及びホースホルダの平面図
【図１０】溢水水位調節レバー及びホースホルダの表側の斜視図
【図１１】溢水水位調節レバー及びホースホルダの裏側の斜視図
【図１２】主要部分の一部の表側の斜視図
【発明を実施するための形態】
【００１３】
以下、一実施形態につき、図面を参照して説明する。
まず、図３には、洗濯機、中でも二槽式洗濯機の全体構成を示しており、基台１ａ上に上箱１ｂを載置結合して外筐１を組成している。このうち、上箱１ｂは、プラスチック製であり、左側に洗濯槽２を、右側に脱水槽３を、ともに一体に有している。
【００１４】
上箱１ｂ上（洗濯槽２及び脱水槽３上）には、その全周にわたる矩形枠状のトップカバー４を被着しており、このトップカバー４の後部に操作パネル５を設け、この操作パネル５に、洗濯用タイマーの操作つまみ６と、洗濯用の水流強度切換え及び排水選択用の操作つまみ７、脱水用タイマーの操作つまみ８、給水口９等を設けている。又、洗濯槽２上には図示しない蓋を着脱可能に設けており、脱水槽３上には内蓋１０を開閉可能に軸支して設けると共に、外蓋１１を同じく開閉可能に軸支して設けている。
【００１５】
このほか、図示はしないが、洗濯槽２の内底部には洗濯水流生成用の撹拌体を配設し、この撹拌体を回転駆動するモータ並びにベルト伝動機構を洗濯槽２の外下方（基台１ａ内）に配設している。又、脱水槽３の内底部には遠心脱水をするための脱水かごを配設し、この脱水かごを回転駆動するモータ並びにブレーキ装置を脱水槽３の外下方（基台１ａ内）に配設している。
【００１６】
洗濯槽２の奥部右側の上部には溢水装置１２を設けている。この溢水装置１２は、図４及び図５に示すように、洗濯槽２に後方へくぼませて形成した溢水室１３を主体としており、この溢水室１３の洗濯槽２内に面する開口部にはストレーナ１４を着脱可能に装着して、該溢水室１３の洗濯槽２内に面する開口部を覆っている。
【００１７】
ストレーナ１４は、異物の通過を阻止すべく、細い横長の通水孔１５を左右多列並びに上下多段に有するものであり、前面の下半部の上下にはフィルタ取付部１６，１７を有していて、このフィルタ取付部１６，１７にフィルタ１８をフィルタ枠１８ａ上下の軸突起１９，２０（図５参照）で左右揺動可能に取付け、それによりフィルタ１８が洗濯時に洗濯槽２内に生成される洗濯水流に応じて左右に揺動し、図示しない洗濯物から散出したリントをその洗濯水流から後側の開口部を通じて捕獲するようになっている（図１〜図３にはフィルタ枠１８ａのみ図示）。
【００１８】
ストレーナ１４の前面部には又、フィルタ取付部１６，１７と並べてその右側の上部寄りに溝部２１を形成している。この溝部２１は上下に延びるものであり、その奥部の左右中央部には同じく上下に延びるスリット２２を形成しており、相対的には、スリット２２に沿って溝部２１を形成している。更に、ストレーナ１４の裏側に位置してスリット２２の左右両側部には、図６及び図１、図２に示すように、上下に延びる突条２３を二列に形成していて、この突条２３に凹部２４を上下多段に形成している。この凹部２４は、いずれも側方より見て矩形であり、後方に向かって開放している。なお、スリット２２は、詳しくは図示しないが、溝部２１の上端部で上方に開放している。
【００１９】
又、図１及び図２並びに図５に示すように、溢水室１３の内部には溢水ホース２５を配置している。この溢水ホース２５は、蛇腹状のもので、上下に伸縮可能なものであり、上端部の開口部をもって溢水口２５ａ（図５参照）となしている。又、溢水口２５ａの直下部には径小な首部２５ｂを形成している。更に、この溢水ホース２５の下端部は、溢水室１３の底部１３ａに形成した接続口２６に接続していて、その接続口２６から図示しない溢水管路を介して、前記洗濯槽２及び脱水槽３か機外へ排水するための排水管路に連通させている。
【００２０】
ストレーナ１４のスリット２２の部分には、図１及び図２に示すように、溢水水位調節レバー２７を設けている。この溢水水位調節レバー２７は、図７から図１１に示すように、主体部２７ａが縦長の矩形状を成すもので、該主体部２７ａの最上部に手懸け部２７ｂを前方に突出させて庇状に有し、最下部に水位指示標部２７ｃを同じく前方に突出させて矩形のブロック状に有している。水位指示標部２７ｃの前面には、横向き矢印図形の水位指示標２７ｄを設けている。
【００２１】
溢水水位調節レバー２７には、上下の中間部から後方に、ホースホルダ２８を一体に設けている。このホースホルダ２８の設け方は、この場合、プラスチックによる溢水水位調節レバー２７との一体成形であり、溢水水位調節レバー２７との間を、縦長薄板状のつなぎ部２９と、裏板３０、及びこの裏板３０の左右二条の上リブ３１、その間の一条の補助リブ３２、そして一条の下リブ３３とで連繋しているが、それらを介して溢水水位調節レバー２７に別途結合することにより、一体としても良い。又、ホースホルダ２８の形状は、馬蹄形としている。
【００２２】
裏板３０には、上部に矩形のフックレバー挿通孔３４を形成しており、このフックレバー挿通孔３４の左右両側に位置して上リブ３１にフックレバー軸支孔３５を形成している。
【００２３】
そして、溢水水位調節レバー２７には、図１及び図２に示すように、フックレバー３６を設けている。このフックレバー３６は、詳細には、上記フックレバー挿通孔３４に挿通して、上下の中間部を上記フックレバー軸支孔３５に嵌挿した軸３７により前後回動変位可能に枢支したものであり、下端部に凸部３６ａを有している。この凸部３６ａは前記ストレーナ１４の凹部２４と対応するものであり、その凹部２４と係合することが可能なもので、該凹部２４及び凸部３６ａはそれらの係合時当接する面が、矩形の対向する両面となる関係を成すようにしている。
【００２４】
この場合、具体的には、それら凹部２４及び凸部３６ａはともに側方より見て矩形を成すように形成したものであり、それらの係合時当接する面である上下面が、溢水水位調節レバー２７の移動方向である上下方向に対してほゞ直交する面を成すように形成しているのである。この凹部２４及び凸部３６ａは、上下面以外、例えば凹部２４は奥面が、凸部３６ａは先端面が、それぞれ直立面を成さずに曲面を成していても良い。
【００２５】
又、このフックレバー３６の上端部には、弾性部３６ｂを設けている。この弾性部３６ｂは、この場合、フックレバー３６と一体に形成したもので、フックレバー３６の上端部の前面から「し」字形に延びる舌片状を成しており、先端部を溢水水位調節レバー２７の裏板３０の裏面の上端部に当接させている。
そして更に、フックレバー３６の中間部には、操作部３８を設けている。この操作部３８も、フックレバー３６と一体に形成したもので、フックレバー３６の中間部からフックレバー挿通孔３４を通って前方に突出する突起状を成している。
【００２６】
この構成で、溢水水位調節レバー２７のつなぎ部２９を前記ストレーナ１４のスリット２２に前記上端の開放部から下方へ挿通することにより、溢水水位調節レバー２７がスリット２２に沿って上下に移動するように組付けている。又、それと同時に、操作部３８をスリット２２から前方に突出させている。
但し、操作部３８は、図１及び図２並びに図１２に示すように、ストレーナ１４のスリット２２を有した溝部２１に収まっており、そのほか、溢水水位調節レバー２７の、主体部２７ａや前記手懸け部２７ｂ及び前記水位指示標部２７ｃなど、ストレーナ１４から露出する部分も、溝部２１に収まっている。
【００２７】
更に、それら操作部３８や溢水水位調節レバー２７は、各左右の両側面が溝部２１の両側壁部に近接していて、該溝部２１の両側壁部により溢水水位調節レバー２７の上下移動がガイドされるようにしている。
又、ストレーナ１４の溝部２１の左右両側部には、前記溢水水位調節レバー２７の水位指示標２７ｄと対応する、「高」、「中」、「低」、及び「Ｈ」、「Ｍ」、「Ｌ」のそれぞれ文字による溢水水位表示３９，４０を、ともに前記凹部２４の最上段と中段及び最下段の各位置に合わせて設けている。
【００２８】
この後、ストレーナ１４の裏面の最上部に止め具４１を装着して、スリット２２の上端開放部を塞ぐことにより、スリット２２からの溢水水位調節レバー２７の抜脱を阻止するようにしている。
又、ホースホルダ２８を溢水ホース２５の首部２５ｂに嵌め付けて該溢水ホース２５を保持しており、その結果、操作部３８は溢水ホース２５の溢水口２５ａより上方に位置している。
【００２９】
次に、上記構成のものの溢水水位調節について述べる。
まず、図１は、溢水水位が或る高さ位置にある状態を示している。このとき、フックレバー３６の凸部３６ａがストレーナ１４の凹部２４の一つ（図示例は最上部の凹部２４）に進入して係合し、その状態を弾性部３６ｂが先端部を溢水水位調節レバー２７の裏板３０の裏面に当接させつつ伸びていることで保持している。
【００３０】
これに対し、洗濯槽２の内方から手を差し伸べて、図２に二点鎖線で示すように、溢水水位調節レバー２７の手懸け部２７ｂに人差し指など一方の指Ｆ１を下方より懸け、上方より親指など他方の指Ｆ２をフックレバー３６の操作部３８に懸けて、該操作部３８を押し下げると、フックレバー３６が軸３７を中心に弾性部３６ｂを押し込んで撓ませつつ反時計回りに回動し、凸部３６ａを上記ストレーナ１４の凹部２４の一つから離脱させる。
【００３１】
次いで、上記離脱状態を維持しつつ、上記溢水水位調節レバー２７の手懸け部２７ｂに掛けた一方の指Ｆ１で溢水水位調節レバー２７を上方に押し上げ、又はフックレバー３６の操作部３８に懸けた他方の指Ｆ２で溢水水位調節レバー２７を下方に押し下げると、溢水水位調節レバー２７がストレーナ１４のスリット２２に沿い上方又は下方に移動し、それに伴ってホースホルダ２８が同じく上方又は下方に移動し、溢水ホース２５を伸長又は収縮させる。又、このとき、溢水水位調節レバー２７は、溝部２１の両側壁部により上下移動がガイドされる。
【００３２】
そして更に、このときには、フックレバー３６の弾性部３６ｂが溢水水位調節レバー２７の裏板３０の裏面に押し付けられて屈曲状態に撓んでおり、移動後、上記フックレバー３６の操作部３８に懸けた他方の指Ｆ２をその操作部３８から離すと、弾性部３６ｂが先の伸び状態に復元し、その弾性力でフックレバー３６が軸３７を中心に時計回りに回動して、凸部３６ａをこのとき（移動後）のストレーナ１４の凹部２４の他の一つに進入させて係合し、その状態を、伸びた弾性部３６ｂが保持する。
【００３３】
このようにして溢水ホース２５が伸長後又は収縮後の状態に保持され、溢水口２５ａの高さ位置が決定される。溢水口２５ａは、洗濯特にはすすぎ中に洗濯槽２内の水を溢出させるもので、その高さ位置はすなわち洗濯槽２の溢水水位であり、従って、そのようにして洗濯槽２の溢水水位が調節され保持される。調節された溢水水位は、溢水水位調節レバー２７の水位指示標２７ｄが、ストレーナ１４の溢水水位表示３９における「高」、「中」、「低」並びに同溢水水位表示４０における「Ｈ」、「Ｍ」、「Ｌ」のいずれか又はその各間の、それぞれ対応する位置を指示することで表示されるものであり、すなわち、水位指示標２７ｄ（矢印図形）が指示した高さ表示を見ることで、洗濯槽２の現溢水水位が視認される。
【００３４】
このように本実施形態においては、洗濯槽２の溢水水位を調節して保持するのに、フックレバー３６の凸部３６ａをストレーナ１４の凹部２４に係合させてそれをなすものであり、その凹部２４及び凸部３６ａの係合時当接する面が、矩形の対向する両面となる関係を成すようにしている。
【００３５】
これにより、それらを三角形に形成していた従来のもののような、溢水ホース２５が伸長されたときの収縮しようとする復元力、又は収縮されたときの伸長しようとする復元力で凹部２４から凸部３６ａが滑り外れるということがなくなり、それらの係合が解除されることがなくなるので、溢水ホース２５を調節後の伸縮状態に確実に保持することができて、溢水口２５ａを所望の高さ位置に保持することができ、溢水水位の調節が確実にできる。
【００３６】
特に従来の如上の問題点は、経時変化や温度変化により凹部２４に対する凸部３６ａの係合摩擦力が低下したときや、洗濯中の水溢水水位調節レバー２７に対する洗濯物の擦れ等により起きやすいものであったが、本実施形態においては、そのようなこともない。
【００３７】
又、本実施形態においては、ストレーナ１４にスリット２２に沿って溝部２１を形成し、この溝部２１の両側壁部により溢水水位調節レバー２７の上下移動をガイドするようにしている。これにより、溢水水位の調節操作が、溢水水位調節レバー２７の傾き等を生じることなく、より円滑にできる。
【００３８】
更に、本実施形態においては、ストレーナ１４の凹部２４に対するフックレバー３６の凸部３６ａの係合状態の保持を、フックレバー３６が有する弾性部３６ｂの弾性により行うようにしている。これにより、その保持が別部品を要することなくできて、構造を簡素にでき、且つ、低コストでできる。
【００３９】
加えて、上記ストレーナ１４の溝部２１には、溢水水位調節レバー２７の、主体部２７ａや手懸け部２７ｂ及び水位指示標部２７ｃなど、ストレーナ１４から露出する部分と、操作部３８を収めている。これにより、その溢水水位調節レバー２７の露出部分や操作部３８に洗濯時や洗濯物の出し入れ時の洗濯物が引っ掛からないようにできる。なお、溢水水位調節レバー２７の露出部分や操作部３８は、洗濯時や洗濯物の出し入れ時の洗濯物が引っ掛からない程度の僅かに突出していても良い。
【００４０】
そして、本実施形態においては、操作部３８を溢水ホース２５の溢水口２５ａより上方に位置させている。これにより、操作部３８が溢水水位よりも上方に位置するようになり、洗濯時の洗濯物が操作部３８に引っ掛からないようにできると共に、操作部３８を操作する使用者の手が洗濯槽２内の水に濡れないようにできて、操作性を良くすることができる。
【００４１】
以上説明した洗濯機は、上記実施形態にのみ限定されるものではなく、特に脱水機能の有無等の点につき、要旨を逸脱しない範囲内で適宜変更して実施し得る。
そのほか、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００４２】
図面中、２は洗濯槽、１３は溢水室、１４はストレーナ、２１は溝部、２２はスリット、２４は凹部、２５は溢水ホース、２７は溢水水位調節レバー、２８はホースホルダ、３６はフックレバー、３６ａは凸部、３６ｂは弾性部、３８は操作部を示す。
【図１】
2016028658.tif 000003
【図２】
2016028658.tif 000004
【図３】
2016028658.tif 000005
【図４】
2016028658.tif 000006
【図５】
2016028658.tif 000007
【図６】
2016028658.tif 000008
【図７】
2016028658.tif 000009
【図８】
2016028658.tif 000010
【図９】
2016028658.tif 000011
【図１０】
2016028658.tif 000012
【図１１】
2016028658.tif 000013
【図１２】
2016028658.tif 000014